(57)【特許請求の範囲】
【請求項１】
噴霧ヘッドを取着したエアゾール容器の残留ガス抜き取り機構を具えた肩カバーであって、
肩カバーが、噴霧ヘッドの案内壁と、案内壁に支持板と薄肉の連結板を介して廻動不能に装着され、スリットを設けた噴霧ヘッドの支持筒とを具備しており、
案内壁下端には、周方向に上下動操作位置部と残留ガス抜き取り位置部が設けられ、
噴霧ヘッドは、残留ガス抜き取り位置部で支持筒のスリットと合致するスリットを設けた嵌合筒を具備していることを特徴とする残量ガス抜き機構を備えたエアゾール容器の肩カバー。
【発明の詳細な説明】
【０００１】
【発明の属する技術分野】
本発明は、エアゾール容器、とくに使用後にエアゾール容器内の残留ガス抜き取り機構を設けたエアゾール容器の肩カバーに関する。
【０００２】
【従来の技術】
使用済みエアゾール容器の残留ガスを抜き取るために、噴霧ヘッドを押下げ位置に維持して残留ガスを抜き取るようにしたエアゾール容器は、特開２００１−２１５４号公報、特開２００１−１９０６７号公報に示されているように従来より公知となっている。
【０００３】
【発明が解決しようとする課題】
特開２００１−２１５４号公報記載のエアゾール容器では、プロテクターリング（１１，２１，４１）を取り外した後にカバーキャップ（１２，４２）を被せて、噴霧ボタン（８，３０）を押し下げ位置に維持するようにしている。
しかしながら、プロテクターリング（１１，２１，４１）は、エアゾール缶にしっかりと嵌合されているから、エアゾール缶から取り外しできるよう指掛け用突出部（１６）や引き裂き帯（２８）、あるいは剥ぎ取りリング（４８）等の取外し手段を形成しなければならなかった。
【０００４】
指掛け用突出部（１６）を形成したプロテクターリング（１１）は、エアゾール缶から取り外しにあたって、突出部（１６）に嵌合力に打ち勝つだけの力を加えなければならず、簡単に取り外すことができないという問題があり、また、エアゾール缶の保持に突出部が邪魔になるという問題点があった。
【０００５】
また、引き裂き帯（２８）や剥ぎ取りリング（４８）を形成したプロテクターリング（２１，４１）は、プロテクターリングの構造が複雑となるという問題があった。
【０００６】
また、取外し手段の構成の如何にかかわらず、残留ガス抜き取りにあたって、プロテクターリングを取り外すということと、キャップをエアゾール容器に被嵌するという二つの取扱い操作が必要で、ガス抜き取り作業が面倒であった。
【０００７】
特開２００１−１９０６７号公報記載のエアゾール容器では、残留ガスの抜き取りにあたって、内蓋（７）を押圧反転させることによって、噴射ボタン（４）を押下げ、内蓋（７）の筒状体（１２）下端に設けられた係止突起（１４）をマウンティングカップ部（３）のかしめ縁（３ａ）に係合させ、噴射ボタン（４）の押下げ状態を維持するようにしているが、前記公報に記載されたようなプロテクターリングを具えていないから、まだ使用できる内容物と封入ガスが残っているときに誤って内蓋を押下げ、反転させると使用できる内容物と封入ガスが無駄に噴出されるという問題があった。
【０００８】
本発明は、上記問題点を解決することを課題として、噴霧ヘッドの上下動を案内する肩カバーを取着したエアゾール容器において、肩カバーに上下動操作位置と残留ガス抜き取り位置とを周方向に設け、噴霧ヘッドを残留ガス抜き取り位置に廻動することによって、残留ガスを抜き取るようにしたエアゾール容器の肩カバーを提供することを目的とする。
【０００９】
【課題を解決するための手段】
本発明は、上記の課題を解決するため、残量ガス抜き機構を備えたエアゾール容器の肩カバーとして、噴霧ヘッドを取着したエアゾール容器の残留ガス抜き取り機構を具えた肩カバーであって、肩カバーが、噴霧ヘッドの案内壁と、案内壁に支持板と薄肉の連結板を介して廻動不能に装着され、スリットを設けた噴霧ヘッドの支持筒とを具備しており、案内壁下端には、周方向に上下動操作位置部と残留ガス抜き取り位置部が設けられ、噴霧ヘッドは、残留ガス抜き取り位置部で支持筒のスリットと合致するスリットを設けた嵌合筒を具備していることを特徴とする構成を採用する。
【００１０】
【発明の実施の形態】
次に、本発明の実施形態について、図面を参照して説明する。
図１において、Ａはエアゾール容器、Ｂは肩カバー、Ｃは噴霧ヘッドである。
エアゾール容器Ａは、容器本体１と該容器本体１の肩部１ａの上端の開口部に巻き付けられたマウンティングカップ２とを具えている。
【００１１】
マウンティングカップ２の巻付け部は、肩カバーＢの取付部３を形成しており、マウンティングカップ２の中央部には、エアゾールバルブのハウジングが取着されている。
該ハウジングには、ばねによって上方に付勢されたステム４が装着され、該ステム４は、マウンティングカップ２の中央部から突出している。
【００１２】
図１，２に示すように、肩カバーＢは、取付筒１０と外筒１１、環状の上壁１２とを具えており、取付筒１０の下端には、エアゾール容器Ａの取付部３に係合する膨出環１３が設けられている。
上壁１２の内周縁には、噴霧ヘッドＣの上下動、廻動を案内する案内壁１４が垂設されている。
案内壁１４は、ヘッド支持部材１５の取付部１６と、案内壁１４の下端面に形成された段部によって区画された噴霧ノズルＣの上下動操作位置を定める上下動操作位置部１７とそれに続く傾斜案内部１８、および一端にストッパー１９を設けたガス抜き取り位置部２０とを具えている。
【００１３】
ヘッド支持部材１５は、取付部１６の下端に連設された支持板２１と、支持板２１に連設された支持環２２とを具えており、支持環２２は、エアゾール容器Ａのステム４に嵌着し、噴霧ヘッドＣを支持する支持筒２３を連接した薄肉の連結板２４が架設されている。
支持筒２３は、ステム４に係合する係合筒２５と、該係合筒２５より連通孔２６を穿孔した噴霧ヘッド取付筒２７とからなり、噴霧ヘッド取付筒２７の所定の位置には、縦方向のスリット２８が穿設されている。
【００１４】
図１，３に示すように、噴霧ヘッドＣは、頂壁３０と側周壁３１とを具えており、頂壁３０の中心部には嵌合筒３２が垂設されている。
嵌合筒３２は、噴霧ヘッド取付筒２７に嵌着され、下端部には、噴霧ヘッドＣがガス抜き取り位置に位置した時にスリット２８に連通する縦方向のスリット３３が穿設されている。
【００１５】
嵌合筒３２と側周壁３１の間には、頂壁３０の下端に沿って連通孔３４を穿孔されたノズル筒３５が設けられており、ノズル筒３５の先端には、側周壁３１に面して中央に噴霧孔３６を具えたノズルチップ３７が嵌合されている。
側周壁３１の下端には、所定の位置に一対の係止片３８が突設されている。
【００１６】
次に、本発明エアゾール容器の使用態様と作用効果について説明する。
エアゾール容器Ａには、内容液として薬液、化粧料が噴射剤とともに封入されており、公知のように、噴霧ヘッドＣを押下げ、ステム４を押圧することによってエアゾールバルブが開かれ、内容液が噴霧ヘッドＣの噴霧孔３６から噴霧される。
【００１７】
使用時に、噴霧ヘッドＣを押圧すると、図４に示すよう支持筒２３を介してエアゾール容器Ａのステム４を押し下げ、内容液が支持筒２３、嵌合筒３２、ノズル筒３５を経て噴霧孔３６より噴霧される。
その際、係止片３８は、肩カバーＢの案内壁１４の上下動操作位置部１７内で上下動される。
【００１８】
噴霧ヘッドＣから手を離すと、周知のようにエアゾール容器Ａのステム４がばねの付勢により上昇し、内容液の噴射が止められ、同時に薄肉の連結板２４が復元し、係止片３８が上下動操作位置部１７の壁端面１７ａに衝接して上昇位置が維持される。
【００１９】
その際、支持筒２３は、案内壁１４の取付部１６に取着された支持板２１によって肩カバーＢに対して廻動不能になっており、噴霧ヘッドＣは嵌合筒３２を介して支持筒２３に嵌合されているので、みだりに廻動することはない。
【００２０】
すべての内容液の噴霧が終わって、エアゾール容器を廃棄するときには、噴霧ヘッドＣを時計方向に廻動させると、係止片３８が上下動操作位置部１７から、傾斜案内部１８の傾斜面に沿って下方に案内され、ガス抜き取り位置部２０に移動し、ストッパー１９に係止され、その廻動位置が維持される。
次いで、噴霧ヘッドＣから手を離すと、ばね力が作用し、係止片３８がガス抜き取り位置部２０の端面に圧接され、押下げ位置が維持される。
同時に、図５に示すように支持筒２３のスリット２８と嵌合筒３２のスリット３３が合致し、流通路が形成され、エアゾール容器Ａ内の残留ガスが排出される。
【００２１】
【発明の効果】
本発明は、上記のように構成されているから、次の効果を奏する。
肩カバーの噴霧ヘッド案内壁に、上下動操作位置部とともにガス抜き取り位置部を設けたので、エアゾール容器の廃棄時に、噴霧ヘッドを廻動させると、噴霧ヘッドに設けた係止片がガス抜き取り位置に係合して押下げ位置が維持され、ガス抜きが行われる。
【図面の簡単な説明】
【図１】本発明エアゾール容器の分解斜視図である。
【図２】肩カバーの説明図で、（ａ）は断面正面図、（ｂ）は上面図、（ｃ）は案内壁を説明する展開図である。
【図３】噴霧ヘッドの説明図で、（ａ）は断面正面図、（ｂ）は底面図である。
【図４】エアゾール容器の使用時の説明図で（ａ）は噴霧ヘッドの上昇位置、（ｂ）は押し下げ位置の説明図である。
【図５】ガス抜き取り時の説明図である。
【符号の説明】
Ａ        エアゾール容器
Ｂ        肩カバー
Ｃ        噴霧ヘッド
１        容器本体
１ａ      肩部
２        マウンティングカップ
３        取付部
４        ステム
１０      取付筒
１１      外筒
１２      上壁
１３      膨出環
１４      案内壁
１５      ヘッド支持部材
１６      取付部
１７      上下動操作位置部
１７ａ    壁端面
１８      傾斜案内部
１９      ストッパー
２０      ガス抜き取り位置部
２１      支持板
２２      支持環
２３      支持筒
２４      連結板
２５      係合筒
２６      連通孔
２７      噴霧ヘッド取付筒
２８      スリット
３０      頂壁
３１      側周壁
３２      嵌合筒
３３      スリット
３４      連通孔
３５      ノズル筒
３６      噴霧孔
３７      ノズルチップ
３８      係止片
【図１】
0003939538.tif 000002
【図２】
0003939538.tif 000003
【図３】
0003939538.tif 000004
【図４】
0003939538.tif 000005
【図５】
0003939538.tif 000006